(57)【要約】【課題】コイン収納部に積まれているＩＣコインを受け取って、水平軸線回りに回転して当該ＩＣコインを搬送するコイン搬送ローターの負荷を軽減可能なコイン処理ユニットを提案すること。【解決手段】コイン処理ユニット２０のコイン収納部３１は、その下端部分に傾斜収納通路部分３１ｄを備え、収納されているＩＣコインが、傾斜収納通路部分３１ｄから、コイン搬送ローター２７の回転中心より低い第３回転位置Ｃに位置する当該コイン搬送ローターのポケット２７（１）〜２７（３）に送り込まれる。コイン収納部３１に収納されているＩＣコインの重量が直接にコイン搬送ローター２７には作用しないので、コイン搬送ローターの負荷を軽減でき、その駆動機構の小型化、コンパクト化に有利である。【選択図】図７
2007080100.tif 000002
【特許請求の範囲】
【請求項１】
コイン型記憶媒体が投入されるコイン入口通路と、
コイン型記憶媒体を排出するためのコイン出口通路と、
コイン型記憶媒体を下端開口部から受け入れて１枚ずつ直径方向に積み上げた状態に収納可能なコイン収納部と、
１枚のコイン型記憶媒体を外周側から受け入れ可能なポケットを少なくとも一つ備え、回転に伴って、当該ポケットが前記コイン入口通路に連通した第１回転位置、前記コイン出口通路に連通した第２回転位置、および前記コイン収納部の前記下端開口部に連通した第３回転位置を経由して移動するコイン搬送ローターとを有し、
前記コイン収納部は、少なくとも前記下端開口部に連通している下端部分が、コイン型記憶媒体を傾斜した方向に積み上げる傾斜収納通路部分となっており、
当該コイン収納部に収納されているコイン型記憶媒体は自重により前記下端開口部から前記第３回転位置の前記ポケットに移動可能となっていることを特徴とするコイン処理ユニット。
【請求項２】
請求項１において、
前記コイン収納部からコイン型記憶媒体を受け入れる前記第３回転位置は前記コイン搬送ローターの回転中心よりも低い位置とされていることを特徴とするコイン処理ユニット。
【請求項３】
請求項２において、
前記コイン収納部は、前記傾斜収納通路部分の上端に連続して、当該傾斜収納通路部分の傾斜方向とは逆方向に湾曲している湾曲収納通路部分と、当該湾曲収納通路部分の上端から上方に垂直に延びている垂直収納通路部分とを備えていることを特徴とするコイン処理ユニット。
【請求項４】
カード型記憶媒体に対する情報の読み書き処理を行うカード処理ユニットと、
コイン型記憶媒体の発行、返却、回収、および情報の読み書き処理を行うコイン処理ユニットとを有し、
前記カード処理ユニットのカード型記憶媒体に対する情報の読み書き位置と、前記コイン処理ユニットのコイン型記憶媒体に対する情報の読み書き位置とが隣接した位置とされており、
これらの読み書き位置に隣接した位置に、カード型記憶媒体およびコイン型記憶媒体に対する情報の読み書きを行うために用いる共通の情報読み書きヘッドが配置されており、
前記コイン処理ユニットは請求項１ないし３のうちのいずれかの項に記載のものであることを特徴とするコイン型記憶媒体およびカード型記憶媒体の処理装置。
【請求項５】
請求項４において、
前記コイン型記憶媒体は非接触型ＩＣコインであり、
前記カード型記憶媒体は非接触型ＩＣカードであり、
前記情報読み書きヘッドは情報読み書き用の無線アンテナであることを特徴とするコイン型記憶媒体およびカード型記憶媒体の処理装置。
【請求項６】
コイン型記憶媒体を用いてプリペイド方式により遊技媒体の貸し出し処理を行う遊技用台間機であって、
請求項１ないし３のうちのいずれかの項に記載のコイン処理ユニットを有していることを特徴とする遊技台用台間機。
【請求項７】
請求項６において、
台間機ホルダと、
当該台間機ホルダに対して前方から着脱可能に装着されている台間機本体と、
前記台間機ホルダに対する前記台間機本体の着脱によって相互に着脱可能な前記台間機ホルダに取り付けた通信用のホルダ側コネクタおよび前記台間機本体に取り付けた通信用の本体側コネクタとを有し、
前記ホルダ側コネクタは前記台間機ホルダに移動可能な状態で取り付けられ、当該ホルダ側コネクタが移動して前記本体側コネクタとの位置合わせが行われるようになっており、
前記本体側コネクタは前記コイン処理ユニットの背面に取り付けられていることを特徴とする遊技台用台間機。
【請求項８】
コイン型記憶媒体およびカード型記憶媒体を用いてプリペイド方式により遊技媒体の貸し出し処理を行う遊技用台間機であって、
請求項４または５に記載の処理装置を有していることを特徴とする遊技台用台間機。
【請求項９】
請求項８において、
台間機ホルダと、
当該台間機ホルダに対して前方から着脱可能に装着されている台間機本体と、
前記台間機ホルダに対する前記台間機本体の着脱によって相互に着脱可能な前記台間機ホルダに取り付けた通信用のホルダ側コネクタおよび前記台間機本体に取り付けた通信用の本体側コネクタとを有し、
前記ホルダ側コネクタは前記台間機ホルダに移動可能な状態で取り付けられ、当該ホルダ側コネクタが移動して前記本体側コネクタとの位置合わせが行われるようになっており、
前記本体側コネクタは前記処理装置の背面に取り付けられていることを特徴とする遊技台用台間機。
【発明の詳細な説明】
【技術分野】
【０００１】
本発明は、遊技媒体の貸し出し処理をコイン型記憶媒体を用いたプリペイド方式により行う場合などに用いられるコイン処理ユニット、コイン型記憶媒体およびカード型記憶媒体の双方を取り扱うことのできる処理装置、および、遊技媒体の貸し出し処理を行う遊技台用台間機に関するものである。
【背景技術】
【０００２】
ＩＣメモリチップが内蔵されたＩＣコインなどのコイン型記憶媒体を用いたプリペイド方式により遊技媒体の貸し出し処理を行うことのできる遊技台用台間機が知られている。かかる遊技台用台間機では、コイン型記憶媒体の発行、返却、回収、および情報の読み書き処理を行うコイン処理ユニットが組み込まれており、利用者が紙幣などの金銭を投入すると、コイン型記憶媒体に投入金額が書き込まれたコイン型記憶媒体が発行される。コイン型記憶媒体を使用して遊技媒体の貸し出しを受けると、記憶されている金額が、貸し出し金額分だけ減算処理された値に更新され、また、残高が零になったコイン型記憶媒体はコイン処理ユニットに回収されるようになっている。
【０００３】
コイン処理ユニットは、特許文献１、２に開示されている。これらの特許文献に開示されているコイン型記憶媒体の処理機は、周縁にコイン型記憶媒体を収納可能な凹部が形成されたローターを回転させることにより、コイン型記憶媒体を投入路から受け取り、リーダーライタによってその記憶情報を読み取る動作、コイン型記憶媒体を排出路から返却する動作、または、ストッカに収納する動作を行うように構成されている。また、ローターを逆回転させることにより、ストッカに収納されているコイン型記憶媒体を取り出して、リーダーライタによって金銭情報を書き込み、排出口から発行する動作を行うように構成されている。
【特許文献１】特開２００３−１３５８２９号公報
【特許文献２】特開２００５−３４２７９号公報
【発明の開示】
【発明が解決しようとする課題】
【０００４】
上記特許文献に記載の処理機においては、ストッカが垂直に配置され、その下端の開口部がローターの真上に位置した構成となっている。ストッカに収納されているコイン型記憶媒体は自重によって落下してローターに受け渡されるようになっている。したがって、ストッカに収納されているコイン型記憶媒体の全重量が直接にローターに作用する。
【０００５】
このために、収納枚数が多い場合にはローターに大きな荷重が作用し、その回転負荷が過大になってしまう。したがって、ローター駆動源としては大きな回転負荷に耐えることができるものを用いる必要がある。しかしながら、収納枚数が少ない場合には回転負荷が少なくて済むので、大型のローター駆動源を用いることは経済的でない。
【０００６】
特に、遊技台用台間機に組み込む場合には、それが遊技台の間の狭いスペースに配置されるために、設置スペースに余裕がなく、したがって、コイン処理ユニットも小型でコンパクトであることが要求される。ローター駆動源が大型化すると設置スペースもその分大きくなるので好ましくない。
【０００７】
次に、遊技台用台間機にコイン処理ユニットを用いる場合には、一般にカード型記憶媒体も併用されることが多い。このような場合には、コイン処理ユニットと共に、カード型記憶媒体に対する情報の読み書きを行うカード処理ユニット（カードリーダーライタ）も遊技台用台間機に組み込まれる。上記のように、遊技台用台間機の設置スペースには余裕が無いので、コイン処理ユニットおよびカード処理ユニットの設置スペースを可能な限り少なくすることが望ましい。
【０００８】
本発明の課題は、このような点に鑑みて、コイン型記憶媒体を搬送するためのローターに作用するコイン型記憶媒体による負荷を低減し、遊技台用台間機に組み込むのに適したコイン処理ユニットを提案することにある。
【０００９】
また、本発明の課題は、遊技台用台間機に組み込むのに適するように、コイン処理ユニットおよびカード処理ユニットを備えた処理装置の小型・コンパクト化を図ることにある。
【００１０】
さらに、本発明の課題は、かかるコイン処理ユニットあるいは処理装置が組み込まれた遊技台用台間機を提案することにある。
【課題を解決するための手段】
【００１１】
上記の課題を解決するために、本発明のコイン処理ユニットは、
コイン型記憶媒体が投入されるコイン入口通路と、
コイン型記憶媒体を排出するためのコイン出口通路と、
コイン型記憶媒体を下端開口部から受け入れて１枚ずつ直径方向に積み上げた状態に収納可能なコイン収納部と、
１枚のコイン型記憶媒体を外周側から受け入れ可能なポケットを少なくとも一つ備え、回転に伴って、当該ポケットが前記コイン入口通路に連通した第１回転位置、前記コイン出口通路に連通した第２回転位置、および前記コイン収納部の前記下端開口部に連通した第３回転位置を経由して移動するコイン搬送ローターとを有し、
前記コイン収納部は、少なくとも前記下端開口部に連通している下端部分が、コイン型記憶媒体を傾斜した方向に積み上げる傾斜収納通路部分となっており、
当該コイン収納部に収納されているコイン型記憶媒体は自重により前記下端開口部から前記第３回転位置の前記ポケットに移動可能となっていることを特徴としている。
【００１２】
本発明では、コイン収納部の下端部分が傾斜収納通路部分となっており、コイン収納部に収納されているコイン型記憶媒体の全重量が直接にコイン搬送ローターに作用することがない。したがって、コイン収納部に収納されているコイン型記憶媒体の全重量がコイン搬送ローターに作用する場合に比べてコイン搬送ローターの負荷が軽減される。
【００１３】
ここで、前記コイン収納部からコイン型記憶媒体を受け入れる前記第３回転位置が、前記コイン搬送ローターの回転中心より低い位置とされていることを特徴としている。かかる位置にコイン型記憶媒体を送り込むと、上方からコイン型記憶媒体を送り込む場合に比べて、コイン搬送ローターに作用する荷重が低減され、コイン搬送ローターの負荷を軽減できる。
【００１４】
また、本発明の前記コイン収納部は、前記傾斜収納通路部分の上端に連続して、当該傾斜収納通路部分の傾斜方向とは逆方向に湾曲している湾曲収納通路部分と、当該湾曲収納通路部分の上端から上方に垂直に延びている垂直収納通路部分とを備えていることを特徴としている。
【００１５】
コイン収納部を傾斜収納通路部分のみとすると、コイン収納部の横方向の所要スペースが増加してしまう。湾曲収納通路部分および垂直収納通路部分を設けることにより、コイン収納部の横方向の所要スペースの増加を抑制できる。
【００１６】
次に、本発明は、コイン型記憶媒体およびカード型記憶媒体の処理装置に関するものであり、カード型記憶媒体に対する情報の読み書き処理を行うカード処理ユニットと、上記構成のコイン処理ユニットとを有し、前記カード処理ユニットのカード型記憶媒体に対する情報の読み書き位置と、前記コイン処理ユニットのコイン型記憶媒体に対する情報の読み書き位置とが隣接した位置とされており、これらの読み書き位置に隣接した位置に、カード型記憶媒体およびコイン型記憶媒体に対する情報の読み書きを行うために用いる共通の情報読み書きヘッドが配置されていることを特徴としている。
【００１７】
この場合、前記コイン型記憶媒体が非接触型ＩＣコインであり、前記カード型記憶媒体が非接触型ＩＣカードの場合には、前記情報読み書きヘッドとして、情報読み書き用の無線アンテナが用いられる。
【００１８】
コイン型記憶媒体およびカード型記憶媒体に対して、単一の情報読み書きヘッドを用いて情報の読み書きを行うようになっているので、それぞれの読み書きに専用のヘッドを用いる場合に比べて、装置の小型化、コンパクト化に有利である。
【００１９】
特に、コイン型記憶媒体を用いてプリペイド方式により遊技媒体の貸し出し処理を行う遊技用台間機の場合には、十分な設置スペースを確保できない場合が多いので、本発明の処理装置を用いるのに適している。
【００２０】
ここで、本発明の遊技台用台間機は、台間機ホルダと、当該台間機ホルダに対して前方から着脱可能に装着されている台間機本体と、前記台間機ホルダに対する前記台間機本体の着脱によって相互に着脱可能な前記台間機ホルダに取り付けた通信用のホルダ側コネクタおよび前記台間機本体に取り付けた通信用の本体側コネクタとを有し、前記ホルダ側コネクタは前記台間機ホルダに移動可能な状態で取り付けられ、当該ホルダ側コネクタが移動して前記本体側コネクタとの位置合わせが行われるようになっており、前記本体側コネクタは前記コイン処理ユニットの背面に取り付けられていることを特徴としている。
【００２１】
この構成によれば、台間機本体を台間機ホルダに装着する操作によって、双方のコネクタが自動的に位置決めされて接続される。よって、台間機本体の取付作業が簡単になる。
【発明の効果】
【００２２】
本発明のコイン処理ユニットでは、自重によりコイン型記憶媒体をコイン搬送ローターに供給するコイン収納部に傾斜収納通路部分を設け、コイン収納部に収納されているコイン型記憶媒体の全重量がコイン搬送ローターに作用しない形態で、コイン収納部からコイン搬送ローターにコイン型記憶媒体を送り込むようにしている。このため、コイン搬送ローターの負荷が軽減され、その駆動源として小型ものを用いることができるなど、処理ユニットの小型化、コンパクト化に有利である。
【００２３】
また、かかるコイン処理ユニットとカード処理ユニットを備えた本発明の処理装置では、コイン型記憶媒体とカード型記憶媒体に対して共通の情報読み書きヘッドを用いて情報の読み書きを行うようにしている。それぞれに専用のヘッドを用いる場合に比べて処理装置の小型化、コンパクト化に有利である。
【発明を実施するための最良の形態】
【００２４】
以下に、図面を参照して、本発明を適用したコイン型記憶媒体およびカード型記憶媒体を取り扱う処理装置が内蔵されている遊技台用台間機の一例を説明する。
【００２５】
（全体構成）
図１は遊技台用台間機の分解斜視図であり、本例の遊技台用台間機は、会員遊技者用のＩＣカードと一般遊技者（ビジター）用のＩＣコインを用いたプリペイド方式により遊技媒体の貸し出し処理を行うことができるものである。図２（ａ）は遊技台用台間機の側面図であり、図２（ｂ）はＡ方向から見た場合の部分矢視図である。また、図３は、遊技台用台間機に搭載されている処理装置の六面図である。
【００２６】
図１、２に示すように、遊技台用台間機１は、遊技店の遊技島に配列されている遊技台（図示せず）の間の縦長の狭い隙間に、前向きの垂直姿勢で遊技島枠（図示せず）に取り付けられる台間機ホルダ２と、この台間機ホルダ２に対して前方から着脱可能な状態で装着される台間機本体３とから構成されている。
【００２７】
台間機本体３は、全体として縦長の扁平な直方体形状のシャーシ４を備えており、このシャーシ４には、その上側から紙幣識別機５、制御ボックス６および電源ボックス７がこの順序に取り付けられている。シャーシ４の前面には前面パネル８が取り付けられており、当該前面パネル８には上側から、多機能ランプ８ａ、紙幣入口８ｂ、ＩＣカードやＩＣコインの残高などを表示するための表示部８ｃ、会員が再プレイする際に暗証番号などを入力するために用いるテンキー８ｄ、ＩＣコインを投入するコイン投入口８ｅ、ＩＣコインを排出するコイン出口８ｆがこの順序で配置されており、コイン出口８ｆの隣接位置にはＩＣカード挿入口８ｇが配置されている。
【００２８】
制御ボックス６には、図１、３に示す処理装置１０が組み込まれている。処理装置１０は、ＩＣコインの発行、返却、回収および情報のリードライトを行う扁平なコイン処理ユニット２０と、このコイン処理ユニット２０の側面に形成した水平な矩形の凹部２１に組み付けられているＩＣカードのリードライトを行うカード処理ユニット１００とを備えている。図２から分かるように、コイン処理ユニット２０の背面の上半部分には上下にガイド穴１４ａ、１４ｂが形成されており、これらの間には通信用の本体側コネクタ１５が後ろ向きに配置されている。
【００２９】
一方、台間機ホルダ２は、図１、２に示すように、縦枠２ａと、その上下の端から直角に折れ曲がって前方に延びている上下のガイド板２ｂ、２ｃとを備えている。縦枠２ａには外部通信用の中継基板１６が取り付けられている。中継基板１６には上下一対のガイドピン１７ａ、１７ｂが前方に突出しており、これらの間には通信用のホルダ側コネクタ１８が前向きに取り付けられている。本例では、取付板１９によって、中継基板１６が上下方向に僅かにスライド可能な状態で、縦枠２ａに取り付けられている。
【００３０】
台間機ホルダ２の上下のガイド板２ｂ、２ｃの間に台間機本体３を位置決めして、これらのガイド板２ｂ、２ｃに沿って台間機本体３を押し込むと、先細り形状のガイドピン１７ａ、１７ｂの先端部がガイド穴１４ａ、１４ｂに差し込まれ、この後は、台間機本体３の差込動作によって、本体側コネクタ１５がホルダ側コネクタ１８に自動的に位置決めされる。本例では、中継基板１６の側が上下にスライド可能であるので、中継基板１６に搭載されているホルダ側コネクタ１８が上下にスライドして、双方が自動的に位置決めされる。よって、台間機本体３を台間機ホルダ２に差し込むと、本体側コネクタ１５がホルダ側コネクタ１８に差し込まれて接続された状態が自動的に形成される。
【００３１】
（コイン処理ユニット）
図４はコイン処理ユニット２０の内部構造を示す説明図であり、以下に、図３および図４を参照してコイン処理ユニット２０の構成を説明する。コイン処理ユニット２０は、扁平なユニットケース２３を備えており、その前面２３ａには、遊技台用台間機１の前面パネル８のコイン投入口８ｅおよびコイン出口８ｆにそれぞれ連通するコイン入口２４およびコイン出口２５が形成されている。ユニットケース側面にはカード処理ユニット５０を組み付けるための凹部２１が形成されており、ここに、カード処理ユニット５０が装着されている。
【００３２】
ユニットケース２３の内部には、コイン入口２４から投入されたＩＣコインＣを案内するためのコイン入口通路２６が形成されている。コイン入口通路２６は１枚のＩＣコインが立った状態で通過可能な大きさのものであり、コイン入口２４から後方に向かって僅かに下方に傾斜している部分と、この先から下方に湾曲して大きく傾斜している部分とを備え、ＩＣコインが自重によってその通路底面２６ａに沿って滑落可能となっている。
【００３３】
コイン入口通路２６の下端開口部２６ｂは下方に向いており、この真下には、コイン搬送ローター２７が支軸２８を中心として回転自在の状態で配置されている。コイン搬送ローター２７は、円形のローター表面に１２０度間隔で３枚の腕２７ａが放射状に形成されており、これらの腕２７ａの厚さはＩＣコインとほぼ同一厚さであり、各腕２７ａの間に、１枚のＩＣコインを受け入れ可能なポケット２７（１）、２７（２）、２７（３）が形成されている。
【００３４】
コイン入口通路２６の通路底面２６ａの下端に連続して、支軸２８を中心とする円弧状のコインガイド用内周面２９が形成されている。ポケット２７（１）〜２７（３）に受け入れられたＩＣコインは、コイン搬送ローター２７が回転すると、ポケット２７（１）〜２７（３）に入った状態で当該コインガイド用内周面２９に沿って搬送される。
【００３５】
次に、コイン出口２５にはコイン出口通路３０が連通しており、このコイン出口通路３０はコイン出口２５に向けて下方に傾斜した通路であり、ＩＣコインが自重によって滑落してコイン出口２５から排出可能となっている。このコイン出口通路３０はコインガイド用内周面２９に形成した開口部３０ａに連通している。この開口部３０ａは、コイン入口通路２６の下端開口部２６ｂの直下の位置（第１回転位置Ａ）からポケット２７（１）〜２７（３）が６０度回転した位置（第２回転位置Ｂ）に形成されている。
【００３６】
一方、コイン搬送ローター２７の後側にはコイン収納部３１が配置されている。コイン収納部３１は、ＩＣコイン１枚分を通すことのできる通路から形成されており、ＩＣコインを立てた状態で下端開口部３１ａから送り込むようになっている。本例のコイン収納部３１は最大で９枚のＩＣコインを収納可能であり、上下方向に直線状に延びる垂直収納通路部分３１ｂと、この下側に連続して後方に湾曲して再び前方に戻る湾曲収納通路部分３１ｃと、この下側に連続して下端開口部３１ａに至る傾斜収納通路部分３１ｄとを備えている。傾斜収納通路部分３１ｄにおける傾斜角度θは、ここに収納されるＩＣコインが自重によって下端開口部３１ａまで滑落可能な角度に設定されている。通常は１０度〜３０度の範囲内とすればよい。本例では、この角度θがほぼ２０度とされている。
【００３７】
ここで、コイン収納部３１の下端開口部３１ａは、コイン入口通路２６の下端開口部２６ｂの直下の位置（第１回転位置Ａ）からポケット２７（１）〜２７（３）が２４０度回転した位置（第３回転位置Ｃ）に対峙する位置に開口している。この位置においては、コイン収納部３１の湾曲収納通路部分３１ｃを規定している下側の端面３１ｅがそのまま直線状に延びてコインガイド用内周面２９に連続している。
【００３８】
このように、本例のコイン処理ユニット２０のコイン収納部３１は、湾曲収納通路部分３１ｃおよび傾斜収納通路部分３１ｄを備えており、傾斜収納通路部分３１ｄからコイン搬送ローター２７の第３回転位置Ｃに位置しているポケット２７（１）〜２７（３）にＩＣコインをその自重によって送り込むようになっている。すなわち、ＩＣコインは、コイン搬送ローター２７の上側からではなく、その回転中心（支軸２８）よりも低い横方から、傾斜路に沿って送り込まれる。したがって、コイン収納部３１に収納されているＩＣコインの全荷重がコイン搬送ローター２７に作用することがなく、コイン搬送ローター２７の負荷を大幅に軽減できる。
【００３９】
次に、コイン入口２４に連通しているコイン入口通路２６の部位にはコイン入口シャッタ３２が配置されている。コイン入口シャッタ３２はＩＣコインおよびＩＣカードが投入されていない状態ではコイン入口通路２６から退避しているが、これらが投入されるとコイン入口通路２６内に突出して当該通路を遮断し、コイン入口２４からＩＣコインの投入ができないようにするためのものである。このコイン入口シャッタ３２はソレノイド３３によって駆動される。
【００４０】
コイン出口２５に連通しているコイン出口通路３０にも、ここを開閉するためのコイン出口シャッタ３４が配置されている。コイン出口シャッタ３４がコイン出口通路３０を遮断した状態においては、コインガイド用内周面２９の一部が当該シャッタによって形成された状態になる。
【００４１】
コイン出口通路３０の開口部３０ａの下端近傍には、ポケット２７（１）〜２７（３）からコイン出口通路３０にＩＣコインを導くためのコイン出口補助通路片３５が配置されている。このコイン出口補助通路片３５は、コイン出口シャッタ３４がコイン出口通路３０内に突出して当該通路を遮断すると、コイン出口通路３０から退避し、コイン出口シャッタ３４がコイン出口通路３０を開放すると、コイン出口通路３０内に突出してＩＣコインをコイン出口通路側に案内する。これらコイン出口シャッタ３４およびコイン出口補助通路片３５は、共通のソレノイド３６によって駆動される。これらの詳細構造については図５を参照して後述する。
【００４２】
次に、コイン搬送ローター２７は、そこに同心状に取り付けたメインギヤ３７、このメインギヤ３７に噛み合っているウォームホイール３８、このウォームホイール３８に噛み合っているウォーム３９および当該ウォーム３９が出力軸に固着されている駆動モータ４０を備えた駆動機構によって駆動される。メインギヤ３７の回転位置はメインギヤセンサ４１によって検出され、これに基づき、コイン搬送ローター２７の回転位置、すなわち、各ポケット２７（１）〜２７（３）の回転位置が制御される。
【００４３】
ここで、本例のコイン処理ユニット２０では、次のように、ＩＣコインを検知するためのコインセンサが配置されている。まず、コイン入口通路２６におけるコイン入口２４の近傍位置にコイン入口センサ４２が取り付けられており、コイン入口センサ４２によって投入ＩＣコインが検出される。コイン出口通路３０におけるコイン出口２５の近傍位置にはコイン出口センサ４３が配置されており、これにより排出されるＩＣコインが検出される。また、コイン搬送ローター２７の各ポケット２７（１）〜２７（３）の第１回転位置Ａには、コイン検知センサ４４が配置されている。このコイン検知センサ４４によって、第１回転位置Ａに位置しているポケットにＩＣコインが受け入れられているか否かが検出される。
【００４４】
さらに、コイン収納部３１には２箇所にコイン収納センサ４５、４６が配置されている。コイン収納センサ４５はコイン収納部３１の下端開口部３１ａの近傍に配置されており、当該コイン収納部３１の最も下の位置に収納されているＩＣコインを検出するためのものである。コイン収納センサ４６は、湾曲収納通路部分３１ｃの上端側に配置されており、コイン収納部３１に収納されている下から４枚目のＩＣコインを検出するためのものである。
【００４５】
一方、ポケット２７（１）〜２７（３）の第１回転位置Ａは、ＩＣコインの記憶情報の読取および当該ＩＣコインに情報の書き込みを行う読み書き位置である。当該第１回転位置Ａの近傍位置には図において点線で示すように、情報読み書き用のアンテナ４７が配置されている。先に述べたように、コイン処理ユニット２０の側面に形成された凹部２１にはカード処理ユニット１００が組みつけられており、アンテナ４７は当該カード処理ユニット１００におけるＩＣカードの読み書き用のアンテナに兼用されている。
【００４６】
このように、コイン処理ユニット２０およびカード処理ユニット１００が情報読み書き用のアンテナ４７を共用しているので、各ユニットに専用のアンテナを配置する場合に比べて、これらのコイン処理ユニット２０およびカード処理ユニット１００から構成される処理装置１０の小型化およびコンパクト化、ならびにコストの低減化に有利である。
【００４７】
ここで、本例のコイン処理ユニット２０のユニットケース２３には、図３に示すように、コインジャム解除カバー２２が着脱可能な状態で取り付けられている。このコインジャム解除カバー２２を取り外すと、コイン搬送ローター２７の各ポケット２７（１）〜２７（３）の移動経路が開放状態になる。したがって、コイン処理ユニット２０内においてコイン詰まりなどが生じた場合に、このカバー２２を取り外して、正常状態に復帰させることができる。
【００４８】
（コイン出口シャッタおよびコイン出口補助通路片の駆動機構）
図５はコイン出口シャッタ３４およびコイン出口補助通路片３５の駆動機構を示す説明図である。図５（ａ）〜（ｆ）はコイン出口シャッタ３４によってコイン出口通路３０が遮断されている状態を示し、図５（ｇ）〜（ｌ）はコイン出口通路３０が開放状態を示してある。コイン出口シャッタ３４は、コイン出口通路３０に進退可能な進退レバー５１に取り付けられている。進退レバー５１の上下の端部には、傾斜ガイド溝５１ａ、５１ｂが形成されており、ここには、上下に移動可能な連結レバー５２の上下の端部に取り付けたガイドピン５２ａ、５２ｂがスライド可能な状態で差し込まれている。連結レバー５２の下端はソレノイド３６の伸縮ロッドに連結されている。
【００４９】
コイン出口補助通路片３５は、支軸５３を中心として旋回可能な旋回レバー５４の先端に形成されており、支軸５３を中心として旋回することにより、コイン出口通路３０に対して進退可能である。旋回レバー５４は連結レバー５２に連結されており、当該連結レバー５２が下降すると、支軸５３を中心として、コイン出口補助通路片３５をコイン出口通路３０内に突出させる方向に旋回し、連結レバー５２が上昇すると、コイン出口通路３０から退避させる方向に旋回するようになっている。
【００５０】
図５（ａ）〜（ｆ）に示すコイン出口通路３０を遮断した状態においては、ソレノイド３６の伸縮ロッドが突出した位置にあり、そこに連結されている連結レバー５２は上昇位置にある。この状態では、進退レバー５１に取り付けられているコイン出口シャッタ３４はコイン出口通路３０に突出して当該通路を遮断した状態となっている。これに対して、コイン出口補助通路片３５は起立した状態にあり、コイン出口通路３０から退避した状態にある。この状態では、コイン搬送ローター２７のポケット２７（１）〜２７（３）によってＩＣコインを第１回転位置Ａから第２回転位置Ｂを経由して第３回転位置Ｃに搬送することが可能である。
【００５１】
ソレノイド３６を駆動してその伸縮ロッドを引き込み位置まで引き込むと、図５（ｇ）〜（ｌ）の状態に切り換わる。ソレノイド３６の伸縮ロッドを引き込むと、これに連結されている連結レバー５２が下降する。この結果、進退レバー５１が横方向に移動し、そこに取り付けられているコイン出口シャッタ３４がコイン出口通路３０から退避する。一方、連結レバー５２が下降すると、これに連結されている旋回レバー５４が支軸５３を中心として旋回して、その先端に形成されているコイン出口補助通路片３５がコイン出口通路３０に突出した状態になる。
【００５２】
この状態では、コイン出口通路３０が開放され、コイン出口補助通路片３５によってポケット２７（１）〜２７（３）に収納されているＩＣコインが第３回転位置の側に移動することが確実に阻止される。よって、コイン搬送ローター２７が回転して、ＩＣコインが収納されているポケット２７（１）〜２７（３）が第１回転位置Ａから第２回転位置Ｂに到ると、コイン出口通路３０の側に自重によって転がり出て、コイン出口２５から外部に排出される。
【００５３】
（駆動制御系）
図６は、本例の遊技台用台間機１の駆動制御系を示す概略ブロック図である。駆動制御系は、制御ボックス６に搭載されているメイン制御部６１を備え、ここに記憶保持されている制御プログラムを実行することにより遊技媒体の貸し出し処理などの各種の制御を行う。メイン制御部６１にはメモリ６２が接続されていると共に、インタフェース６３を介して、多機能ランプ８ａ、表示部８ｃ、テンキー８ｄ、紙幣識別機５などに接続されている。また、メイン制御部６１にはユニット駆動制御部６４が接続されている。ユニット駆動制御部６４は、コイン処理ユニット２０およびカード処理ユニット１００を備えた処理装置１０を駆動制御するものであり、インタフェース６５を介して、各センサ４１〜４６、ソレノイド３３、３６、駆動モータ４０などに接続されている。また、メイン制御部６１は、コネクタ１５、１８を介して中継基板１６に接続されており、中継基板１６は通信回線を介して、隣接する遊技台の制御部６６、管理コンピュータ６７などに接続されている。
【００５４】
メイン制御部６１の制御の下で、ユニット駆動制御部６４は入力指令、センサ入力などに基づき、コイン処理ユニット２０およびカード処理ユニット１００の各部を駆動制御して、ＩＣコインの発行、返却、回収、情報の読み書きなどの処理動作と、ＩＣカードの情報の読み書きなどの処理動作を行う。図７には、ユニット駆動制御部６４の制御の下に行われるコイン処理ユニット２０の概略動作を示してあり、図８〜図１１にはユニット駆動制御部６４の制御の下に実現されるコイン処理ユニット２０に収納されているＩＣコイン枚数の検出機能を示してある。
【００５５】
（コイン処理ユニットの概略動作）
図７を参照してコイン処理ユニット２０の処理動作の概要を説明する。状態Ｓ１は一般的なコイン処理ユニット２０の状態を示してあり、コイン収納部３１に複数枚のＩＣコインＣ１〜Ｃ４が収納されており、コイン搬送ローター２７は、ポケット２７（１）が第１回転位置Ａに位置してＩＣコインを受け入れ可能であり、ポケット２７（２）、２７（３）にはＩＣコインＣ５、Ｃ６が収納されており、ポケット２７（３）はコイン収納部３１の下端開口部３１ａに連通した第３回転位置Ｃに位置している。
【００５６】
この状態においてコイン入口２４からＩＣコインＣａが投入されると、投入されたＩＣコインＣａはコイン入口通路２６を自重によって滑落して、コイン搬送ローター２７のポケット２７（１）に受け入れられる。ＩＣコインＣａの投入がコイン入口センサ４２によって検出されると、コイン入口シャッタ３２が閉じる。ポケット２７（１）に入ったＩＣコインＣａはその隣接位置に配置されているアンテナ４７によって記憶情報が読み出される。プリペイド残高がある場合には遊技媒体の貸し出しが可能であり、貸し出し指令を受けると遊技台用台間機１によって遊技媒体の貸し出し処理が行われる。遊技媒体の貸し出し処理を行った後はプリペイド残高から貸し出し料を減算し、減算後の残高をＩＣコインＣａに書き込む。
【００５７】
遊技終了後などにＩＣコインＣａの返却指令が入力されると、プリペイド残高を確認し、残高が零の場合には、状態Ｓ２に示すように、ＩＣコインＣａを返却することなく、内部に回収する。すなわち、コイン搬送ローター２７を正方向（図７における時計回り）に１２０度回転させ、ＩＣコインＣａが収納されているポケット２７（１）を第１回転位置Ａから１２０度回転した位置に移動する。この回転により、ポケット２７（３）に収納されていたＩＣコインＣ５がコイン収納部３１に下側から送り込まれて、ポケット２７（３）は空の状態になる。
【００５８】
ＩＣコインＣａの残高が零でない場合には、返却指令が入力されると、状態Ｓ３に示すように、ＩＣコインＣａをコイン出口２５から返却する返却動作が行われる。この返却動作では、コイン出口シャッタ３４が開き、コイン出口補助通路片３５がコイン出口通路３０に突出状態とされ、コイン搬送ローター２７を正方向に６０度回転させ、ポケット２７（１）をコイン出口通路３０に連通した位置とする。この結果、ポケット２７（１）からＩＣコインＣａが自重により転がり出て、コイン出口補助通路片３５に案内されて、コイン出口通路３０を通って、コイン出口２５から返却される。
【００５９】
次に、状態Ｓ４において、紙幣が投入され、紙幣識別機によって入金額が検出されると、コイン搬送ローター２７を１２０度だけ逆回転させて、ポケット２７（２）を第１回転位置Ａまで戻し、Ｓ５の状態とする。この状態において、ポケット２７（２）に入っているＩＣコインＣ７に対して、アンテナ４７を用いて、入金金額の書き込みを行う。この後に、ＩＣコインの返却指令が入力されると、状態Ｓ３に移行して、ＩＣコインＣ７の発行動作を行う。
【００６０】
なお、図７における状態Ｓ６はＩＣコインの満杯状態を示し、本例では９枚のＩＣコインＣ１〜Ｃ９がコイン処理ユニット２０内に収納可能である。また、図７の状態Ｓ７はＩＣコイン無しの状態を示してある。
【００６１】
（ＩＣコインの収納枚数の検出動作）
次に、図８〜図１１を参照して、本例のコイン処理ユニット２０におけるＩＣコインの収納枚数の検出動作を説明する。先に述べたように、コイン収納部３１には２箇所にコイン収納センサ４５、４６が配置されており、コイン収納センサ４５はコイン収納部３１に収納されている最も下のＩＣコインを検出可能であり、コイン収納センサ４６は下から４枚目のＩＣコインを検出可能である。収納枚数の検出動作は、コイン搬送ローター２７を最大で３６０度逆回転させて、ＩＣコインをコイン入口通路２６に戻す戻し動作を行い、当該戻し動作時におけるコイン収納センサ４５、４６の出力に基づき、収納枚数を検出する。
【００６２】
まず、図８を参照して、９枚のＩＣコインＣ１〜Ｃ９が収納されている場合の検出動作を説明する。この場合には、図８（ａ）の状態からコイン搬送ローター２７を逆向きに、３６０度回転させ、３枚のＩＣコインＣ９、Ｃ８、Ｃ７をコイン入口通路２６に戻した後においても、２箇所のコイン収納センサ４５、４６は双方ともにＩＣコイン有りの検出出力（ＯＮ）のままである。これにより、収納枚数が９枚であると分かる。
【００６３】
次に、８枚のＩＣコインＣ１〜Ｃ８が収納されている場合には、図９（ａ）、（ｂ）に示すように、３枚のＩＣコインＣ８、Ｃ７およびＣ６の戻し動作を行った後において、下側のコイン収納センサ４５はＩＣコイン有りのＯＮ状態であるが、上側のコイン収納センサ４６はＩＣコイン無しのＯＦＦに切り換わる。これらの出力状態から収納枚数が８枚であると分かる。
【００６４】
収納枚数が７枚の場合には、図９（ｃ）、（ｄ）に示すように、２枚目のＩＣコインＣ６の戻し動作を行った後、すなわち、コイン搬送ローター２７を２４０度逆回転させた後の時点で、上側のコイン収納センサ４６がＯＦＦに切り換わる。また、収納枚数が６枚の場合には、図９（ｅ）、（ｆ）に示すように、１枚のＩＣコインＣ６の戻し動作を行った後、すなわち、コイン搬送ローター２６を１２０度逆回転させた後の時点で、上側のコイン収納センサ４６がＯＦＦに切り換わる。
【００６５】
このように、収納枚数が８〜６枚の場合には、下側のコイン収納センサ４５はＯＮ状態のままであり、上側のコイン収納センサ４６がＯＦＦに切り換わる時点に基づき、収納枚数を検出できる。
【００６６】
次に、収納枚数が５枚〜３枚の場合には、図１０に示すように、上側のコイン収納センサ４６の出力はＯＦＦのままであり、下側のコイン収納センサ４５の出力がＯＦＦに切り換わる時点に基づき、収納枚数を検出できる。すなわち、収納枚数が５枚の場合には、図１０（ａ）、（ｂ）に示すように、３枚のＩＣコインＣ５、Ｃ４、Ｃ３の戻し動作を行うと（３６０度回転させると）コイン収納センサ４５がＯＦＦに切り換わる。収納枚数が４枚の場合には、図１０（ｃ）、（ｄ）に示すように、２枚のＩＣコインＣ４、Ｃ３の戻し動作を行うと（２４０度回転させると）コイン収納センサ４５がＯＦＦに切り換わる。収納枚数が３枚の場合には、図１０（ｅ）、（ｆ）に示すように、１枚のＩＣコインＣ３の戻し動作を行うと（１２０度回転させると）コイン収納センサ４５がＯＦＦに切り換わる。
【００６７】
これに対して、収納枚数が２枚および１枚の場合には、コイン収納センサ４５、４６はいずれもＯＦＦのままである。この場合には、アンテナ４７を用いて、収納枚数が２枚であるか１枚であるかを判別できる。すなわち、図１１（ａ）、（ｂ）に示すように、収納枚数が２枚の場合には、２枚のＩＣコインＣ２、Ｃ１の戻し動作を行い（２４０度逆回転させ）、アンテナ４７によってＩＣコインのＩＤの読み取りを行う。この場合には異なるＩＤが読み込まれるので、２枚のＩＣコインＣ２、１があると分かる。これに対して図１１（ｃ）、（ｄ）の場合には、１枚のＩＣコインＣ１しかないので、２４０度逆回転させたとしても、一つのＩＤが読み込まれるのみである。これにより収納枚数が１枚であると分かる。
【００６８】
本例のコイン処理ユニット２０では、外部からの指令などに基づき、このような収納枚数の検出動作が起動されるようになっている。例えば、コイン詰まりが発生して、コインジャム解除カバー２２（図３参照）を取り外して、その回復作業を行った際などに収納されているＩＣコインを取り出した場合には、コイン入口センサ４２、コイン出口センサ４３によってカウントされているＩＣコインの収納枚数と、実際に収納されているＩＣコインの枚数が異なってしまう。コイン詰まりの回復作業の終了後に、収納枚数の検出動作を起動すれば、実際に収納されているＩＣコイン枚数が検出される。検出された収納枚数となるように、メモリなどの記憶保持されている収納枚数を更新すればよい。この結果、ＩＣコイン無しなどの表示などを正確に行うことが可能になる。
【００６９】
（カード処理ユニット）
次に、図１２はカード処理ユニット１００を示す縦断面図、横断面図および、コイン処理ユニット２０のユニットケース凹部２１に重ねられている側面を示す側面図である。カード処理ユニット１００は扁平なケース１０１を備え、この内部に各構成部が組み付けられている。ケース１０１の前面１０３には、カード挿入口１０４が形成されており、このカード挿入口１０４は遊技台用台間機１の前面パネル８に形成されているカード挿入口に連通している。
【００７０】
ケース１０１の内部には、カード挿入口１０４から挿入されるＩＣカード１１０を受け入れ可能なカードホルダ１２０が配置されている。このカードホルダ１２０は、ケース１０１内を前後方向にスライド可能である。すなわち、カードホルダ１２０は、ＩＣカード１１０を受け入れる本体板部分１２１と、この本体板部分１２１の後端に形成された直角に折れ曲がっているカード係合用の端板部分１２２と、本体板部分１２１の上端の前後に形成されたスライド突起１２３および１２４と、本体部分１２１の下端に形成したスライド突起１２５を備えている。ケース１０１には、スライド突起１２３、１２４をガイドするスライド溝１０５、１０６および１０７が形成されている。
【００７１】
カードホルダ１２０とケース１０１の間には、前後方向に水平に延びる引張りコイルばね１２６が架け渡されている。カード挿入口１０４からＩＣカード１１０を挿入すると、引張りコイルばね１２６を伸長させながらカードホルダ１２０を後方に押し込むことができる。
【００７２】
カードホルダ１２０の後方には、カードホルダ１２０をケース後端側の位置にロックするためのホルダロック機構１３０が組み込まれている。ホルダロック機構１３０は、後端部を中心として上下方向に旋回可能なホルダロックアーム１３１と、このホルダロックアーム１３１を上下に旋回させるためのソレノイド１３２と、カードホルダ１２０の側に形成されたアーム係合爪１２７を備えている。
【００７３】
ホルダロックアーム１３１はソレノイド１３２の復帰ばね力によって、アーム係合爪１２７の上端面１２７ａに押し付けられた状態にある。カードホルダ１２０が後方に押し込まれると、ホルダロックアーム１３１の先端のフック１３１ａがアーム係合爪１２７の上端面１２７ａから前側に落ち込み、当該アーム係合爪１２７に前方から係合した状態になり、カードホルダ１２０の前方への移動が阻止されたロック状態になる。ソレノイド１３２を励磁すると、ホルダロックアーム１３１が上方に旋回して、ロック状態が解除される。この結果、カードホルダ１２０は引張りコイルばね１２６のばね力によって前方位置に復帰する。
【００７４】
カード挿入口１０４の下端の側方位置にはシャッタ１４０が配置されている。シャッタ１４０は、ケース１０１に垂直に取り付けた支軸１４１を中心として左右に旋回可能な状態で支持されている。シャッタ１４０の前端部分はカード挿入口１０４の側に湾曲している遮蔽爪１４２となっており、支軸１４１の後側の部位にはスライドピン１４３が形成されている。
【００７５】
このスライドピン１４３がスライド可能な状態で差し込まれているスライド溝１４４が、カードホルダ１２０の側に形成されている。スライド溝１４４は、全体として前後方向に延びているが、その前端側の部分がカード挿入口１０４から離れる方向に折れ曲がっている。カードホルダ１２０が後方位置の近傍まで押し込まれる間は、シャッタ１４０のスライドピン１４３がスライド溝１４４の前後方向に延びる溝部分をスライドする。
【００７６】
しかるに、カードホルダ１２０が後方位置の近傍から後方位置に至る間においては、スライドピン１４３がスライド溝１４４の折れ曲がっている前端部分をスライドする。この結果、シャッタ１４０の後端部分がカード挿入口１０４から離れる方向に移動させられるので、シャッタ１４０は支軸１４１を中心として、その前端側の遮蔽爪１４２が内側に旋回して、カード挿入口１０４が封鎖された状態になり、カードの挿入ができなくなる。
【００７７】
一方、カードホルダ１２０の上端部分は、前後のスライド突起１２３、１２４の間が開放状態となっており、この部分には、カードストッパ１５０が配置されている。カードストッパ１５０は上下方向にスライド可能な状態でケース１０１に取り付けられており、ケース１０１と当該カードストッパ１５０の間に上下方向に架け渡した引張りコイルばね１５１によって常に下方に付勢されている。本例では、ケース１０１に前後一対の傾斜ガイド溝１０８、１０９が形成され、カードストッパ１５０の前後の部位に形成されたスライドピン１５２、１５３がこれらの傾斜ガイド溝１０８、１０９に沿ってスライド可能な状態で差し込まれている。
【００７８】
カードストッパ１５０は、水平なカード押し付け面１５４を備え、このカード押し付け面１５４の前端からは前方に向けて上方に傾斜した傾斜ガイド面１５５が連続している。この傾斜ガイド面１５５にカード挿入口１０４から挿入されたＩＣカード１１０の上端角部が当たるようになっている。挿入されたＩＣカード１１０によってカードストッパ１５０が押し上げられると、そのカード押し付け面１５４がＩＣカード１１０の上側の側面に押し付けられた状態が形成される。これにより、挿入されたＩＣカード１１０がガタ付きなく固定された状態が形成される。
【００７９】
なお、ホルダロックアーム１３１の近傍位置にはロック状態になったことを検出するためのロックセンサ１３３が配置されている。カードストッパ１５０の近傍にはＩＣカードが挿入されている否かを検出するためのカードセンサ１５６が配置されている。
【００８０】
次に、図１３ないし図１６を参照して、このように構成した本例のカード処理ユニット１００におけるカード挿入時の各部の動作をカード挿入動作にしたがって説明する。まず、図１３に示すように、カード挿入口１０４にＩＣカード１１０を挿入していくと、ＩＣカード１１０の挿入側の先端上側の角がカードストッパ１５０の傾斜ガイド面１５５に当たる。この後は、カードストッパ１５０を押し上げながらＩＣカード１１０が挿入される。
【００８１】
カードストッパ１５０が押し上げられ、そのカード押し付け面１５４によってＩＣカード１１０の上側の側面が押し付けられた状態が形成され、更にＩＣカード１１０を挿入すると、図１４に示すように、ＩＣカード１１０の前端がカードホルダ１２０の端板部分１２２に当たる。図１４において斜線で示す部分がカードホルダ１２０である。この後は、ＩＣカード１１０を押し込むと、当該ＩＣカード１１０がカードホルダ１２０と共に後方に押し込まれる。
【００８２】
ＩＣカード１１０と共にカードホルダ１２０が後方に押し込まれて、その後端位置の近傍に至ると、図１５に示す状態になる。すなわち、ホルダロックアーム１３１がカードホルダ１２０の係合爪１２７に前側から係合する状態になる。また、カード挿入口１０４の側では、シャッタ１４０の旋回が始まり、その先端の遮蔽爪１４２がカード挿入口１０４の側に移動し始める。
【００８３】
ＩＣカード１１０を完全に押し込むと、図１６に示すように、ホルダロックアーム１３１がカードホルダ１２０の係合爪１２７に前側から係合して、カードホルダ１２０のロック状態が形成され、ＩＣカード１１０は挿入された位置に保持される。この状態では、ＩＣカード１１０はカードストッパ１５０によって押し付けられているのでガタ付きなく定まった位置に保持される。また、シャッタ１４０が旋回して、カード挿入口１０４を遮蔽する。よって、ＩＣカード１１０が挿入されている状態で別のカードがカード挿入口１０４から押し込まれるという弊害を防止できる。
【００８４】
このようにしてＩＣカード１１０が挿入された状態で、兼用アンテナ４７（図４参照）を用いてＩＣカード１１０に埋め込まれている非接触型ＩＣチップに対する記憶情報の読み出し、および情報の書き込みが行われる。カード返却指令があると、ソレノイド１３２が励磁され、ホルダロックアーム１３１が上方に押し上げられ、カードホルダ１２０のロックが解除される。すると、引張りコイルばね１２６のばね力によって、ＩＣカード１１０が保持されているカードホルダ１２０が前方位置まで押し出される。また、カードホルダ１２０の移動によって、シャッタ１４０が開くので、カードホルダ１２０に保持されているＩＣカード１１０の返却動作に支障を来たすことがない。このように、カード挿入時とは逆の動作が行われて、すなわち、図１６から図１５、図１４の状態を経て、図１３に示す状態に戻り、ＩＣカード１１０の後端部がカード挿入口１０４から突出した状態に戻る。
【００８５】
本例のカード処理ユニット１００では、カードストッパ１５０が上下方向に平行移動し、その水平なカード押し付け面１５４によってＩＣカード１１０を押し付けるようになっている。したがって、挿入されたＩＣカード１１０をガタ付きなく固定することができる。
【００８６】
また、本例では、カードホルダ１２０に前端部分が折れ曲がったスライド溝１４４を形成し、ここにシャッタ１４０のスライドピン１４３を差し込み、カードホルダ１２０のスライドを利用してシャッタ１４０を移動させて、カード挿入口１０４を開閉できるようにしている。したがって、複数のリンク部材を用いてシャッタ１４０の開閉機構を構成する必要がなく、小型でコンパクトにシャッタ駆動機構を構成できる。
【図面の簡単な説明】
【００８７】
【図１】本発明を適用した遊技台用台間機の分解斜視図である。
【図２】図１の遊技台用台間機の側面図、およびその矢印Ａの方向から見た部分矢視図である。
【図３】図１の遊技台用台間機に組み込まれている処理装置を示す側面図、平面図、底面図、裏面図、正面図および側面図である。
【図４】図１の遊技台用台間機に組み込まれているコイン処理ユニットの内部構造を示す説明図である。
【図５】図４のコイン処理ユニットにおけるコイン出口シャッタおよびコイン出口補助通路片の駆動機構を示す説明図である。
【図６】図１の遊技台用台間機の駆動制御系を示す概略ブロック図である。
【図７】図４のコイン処理ユニットの主要動作を示す説明図である。
【図８】図４のコイン処理ユニットの収納枚数（９枚）の検出動作の説明図である。
【図９】図４のコイン処理ユニットの収納枚数（８〜６枚）の検出動作の説明図である。
【図１０】図４のコイン処理ユニットの収納枚数（５〜３枚）の検出動作の説明図である。
【図１１】図４のコイン処理ユニットの収納枚数（２、１枚）の検出動作の説明図である。
【図１２】図１の遊技台用台間機に組み込まれているカード処理ユニットを示す縦断面図、横断面図および側面図である。
【図１３】図１２のカード処理ユニットの動作説明図である。
【図１４】図１２のカード処理ユニットの動作説明図である。
【図１５】図１２のカード処理ユニットの動作説明図である。
【図１６】図１２のカード処理ユニットの動作説明図である。
【符号の説明】
【００８８】
１  遊技台用台間機
２  台間機ホルダ
３  台間機本体
６  制御ボックス
１０  処理装置
１４ａ、１４ｂ  ガイド穴
１５  本体側コネクタ
１６  中継基板
１７ａ、１７ｂ  ガイドピン
１８  ホルダ側コネクタ
１９  取付板
２０  コイン処理ユニット
２１  凹部
２２  コインジャム解除カバー
２３  ケース
２４  コイン入口
２５  コイン出口
２６  コイン入口通路
２６ｂ  下端開口部
２７  コイン搬送ローター
２７（１）〜２７（３）  ポケット
２７ａ  腕
Ａ  第１回転位置
Ｂ  第２回転位置
Ｃ  第３回転位置
２９  コインガイド用内周面
３０  コイン出口通路
３１  コイン収納部
３１ａ  下端開口部
３１ｂ  直線収納通路部分
３１ｃ  湾曲収納通路部分
３２  コイン入口シャッタ
３４  コイン出口シャッタ
３５  コイン出口補助通路片
３６  ソレノイド
４５、４６  コイン収納センサ
４７  アンテナ
５１  進退レバー
５２  連結レバー
５４  旋回レバー
６１  メイン制御部
６２  メモリ
６３、６５  インタフェース
６４  ユニット駆動制御部
Ｃ１〜Ｃ９、Ｃａ  ＩＣコイン
１００  カード処理ユニット
１０１  ケース
１０４  カード挿入口
１０５、１０６、１０７  スライド溝
１０８、１０９  傾斜ガイド溝
１１０  ＩＣカード
１２０  カードホルダ
１２１  本体板部分
１２２  端板部分
１２３、１２４、１２５  スライド突起
１２６  引張りコイルばね
１２７  係合爪
１３０  ホルダロック機構
１３１  ホルダロックアーム
１３２  ソレノイド
１４０  シャッタ
１４１  支軸
１４２  遮蔽爪
１４３  スライドピン
１４４  スライド溝
１５０  カードストッパ
１５１  引張りコイルばね
１５２、１５３  スライドピン
１５４  カード押し付け面
１５５  傾斜ガイド面
【図１】
2007080100.tif 000003
【図２】
2007080100.tif 000004
【図３】
2007080100.tif 000005
【図４】
2007080100.tif 000006
【図５】
2007080100.tif 000007
【図６】
2007080100.tif 000008
【図７】
2007080100.tif 000009
【図８】
2007080100.tif 000010
【図９】
2007080100.tif 000011
【図１０】
2007080100.tif 000012
【図１１】
2007080100.tif 000013
【図１２】
2007080100.tif 000014
【図１３】
2007080100.tif 000015
【図１４】
2007080100.tif 000016
【図１５】
2007080100.tif 000017
【図１６】
2007080100.tif 000018